(57)【要約】  本発明の特定の実施形態は、ＲＪ４５ジャックを提供し、ＲＪ４５ジャックは、自己閉鎖シャッタードアを有し、１回の直線動作でのＲＪ４５プラグ挿入を可能にしつつも、シャッタードア上の自由接触プラグストップ、及び、ジャック内にラッチされている間にプラグが引出し力を受けると、ハウジング内でのドアの保持を補助するドアキャッチフィーチャが組み込まれている。
2019502231.tif 000002
【特許請求の範囲】
【請求項１】
ＲＪ４５通信ジャック２０であって、
回転ジョイントフィーチャ４８、５１及び保持ブロック５７を有するハウジング３０と、
一体のプラグラッチストップ６６、回転ジョイントフィーチャ４６、及び保持レッジ３７を有する回転可能なシャッタードア２８と、を備え、
前記シャッタードア２８が前記回転ジョイントフィーチャ４６、４８、５１の周りで回転すると、荷重が前記プラグラッチストップ６６に印加されるときに前記荷重が前記回転ジョイントフィーチャ４８、５１ではなく前記保持ブロック５７を介して前記ハウジング３０に伝達されるように、前記保持レッジ３７が前記保持ブロック５７に係合する、前記ＲＪ４５通信ジャック。
【請求項２】
前記ハウジング３０は逃がしスロット５８を更に備える、請求項１に記載のＲＪ４５通信ジャック。
【請求項３】
前記回転可能なシャッタードア２８は、くぼみ面４４を更に備える、請求項２に記載のＲＪ４５通信ジャック。
【請求項４】
ＲＪ４５通信ジャック２０であって、
回転ジョイントフィーチャ４８を有するハウジング３０と、
前記回転ジョイントフィーチャ４８に係合するばね３２と、を備え、
前記回転ジョイントフィーチャ４８は、前記ばね３２を受けるための一次スロット５０を含み、
前記回転ジョイントフィーチャ４８は、前記ばね３２を閉じ込める二次スロット４９を含む、前記ＲＪ４５通信ジャック。
【請求項５】
前記ばね３２は、対角交差レッグ３３を更に備える、請求項４に記載の通信ジャック。
【請求項６】
前記ばね３２は、前記回転可能なシャッタードア２８上のボスフィーチャ３４によって捕捉されるように構成されるループ４１を更に備える、請求項５に記載の通信ジャック。
【発明の詳細な説明】
【技術分野】
【０００１】
本発明は、ネットワーク通信に関し、より詳細には、ＲＪ４５シャッター付きジャック及びこれに関連する通信システムに関する。
【背景技術】
【０００２】
ＲＪ４５は、ネットワーク通信用の好適な規格である。したがって、ＲＪ４５ジャック及びこれに関連する通信システムについての必要性が存在する。
【０００３】
シャッター付きジャックはまた、シャッタードアが、埃及び他のデブリ等の外部汚染から内部ジャック構成要素を保護するため、望まれている。しかし、ＰａｎｄｕｉｔのＭＩＮＩ−ＣＯＭ（登録商標）シャッター付きジャックモジュール等の既存のＲＪ４５シャッター付きジャックは、ＲＪ４５プラグ挿入のために２回の動作（シャッタードアを開ける１回の動作及びプラグを挿入する１回の動作）を必要とする。したがって、ＲＪ４５シャッター付きジャック及びこれに関連する通信システムについての必要性、より詳細には、ＲＪ４５プラグ挿入のために１回の動作を必要とするＲＪ４５シャッター付きジャック及びこれに関連する通信システムについての必要性が存在する。
【０００４】
更に、国際電気標準会議（「ＩＥＣ：Ｉｎｔｅｒｎａｔｉｏｎａｌ  Ｅｌｅｃｔｒｏｔｅｃｈｎｉｃａｌ  Ｃｏｍｍｉｓｓｉｏｎ」）は、ＲＪ４５コネクタ用の特定の規格を確立した。例えば、ＩＥＣ６０６０３−７は、ＲＪ４５コネクタが自由接触プラグストップを含むことを要求する。更に、ＩＥＣ６０６０３−７  ＡＰ２．２は、ＲＪ４５コネクタが、４４．５Ｎ／ｓ（１０ｌｂｆ／ｓ）の最大荷重速度で６０ｓ±５ｓの間、５０Ｎ（１１ｌｂｆ）に耐えることを要求する。したがって、これらの規格を遵守するＲＪ４５シャッター付きジャック及びこれに関連する通信システムについての必要性が存在する。
【発明の概要】
【課題を解決するための手段】
【０００５】
本発明の特定の実施形態は、ＲＪ４５ジャックを提供し、ＲＪ４５ジャックは、自己閉鎖シャッタードアを有し、１回の直線動作でのＲＪ４５プラグ挿入を可能にしつつも、シャッタードア上の自由接触プラグストップ、及び、ジャック内にラッチされている間にプラグが引出し力を受けるとハウジング内でのドアの保持を補助するドアキャッチフィーチャが組み込まれている。
【０００６】
本発明のこれらのまた他の特徴、態様、及び利点は、以下の図面、説明、及び添付特許請求の範囲を参照してよりよく理解されるであろう。
【図面の簡単な説明】
【０００７】
【図１】本発明の一実施形態による通信システムの斜視図である。
【図２】本発明の一実施形態によるジャックの斜視図である。
【図３】図２のジャックの分解図である。
【図４】図２のジャックからのジャックハウジングの斜視図である。
【図５】図２のジャックからのシャッタードアの斜視図である。
【図６】図２のシャッタードアの側面図である。
【図７】図１のライン７−７に沿って切取った断面図である。
【図８】図２のライン８−８に沿って切取った断面図である。
【図９】図４のジャックハウジングからのスロット付きボスの詳細図である。
【図１０】本発明の代替の実施形態によるジャックの斜視図である。
【図１１】図１０のジャックからのジャックハウジングの斜視図である。
【発明を実施するための形態】
【０００８】
図１を参照すると、通信システム１８はパッチパネル２６のインサート２５内に設置されたＵＴＰ  ＲＪ４５シャッター付きジャック２０を含む。１つのＵＴＰ  ＲＪ４５シャッター付きジャック２０は、パッチコード２３のプラグ２２とジャック開口２４（図３）内で嵌合済み状態にある。他のＵＴＰ  ＲＪ４５シャッター付きジャック２０は、休止状態にある。
【０００９】
図２及び３を参照すると、ＵＴＰ  ＲＪ４５シャッター付きジャック２０は、シャッタードア２８、ばね３２、シャッター付きジャックハウジング３０、後スレッド組立て体３６、及びワイヤカップ３８を含む。組立て中に、ばね３２の対角交差レッグ３３は、シャッター付きジャックハウジング３０上のスロット付きボス４８の水平スロット５０（図４）に挿入される。対角交差レッグ３３は、その後、スロット付きボス４８の対角スロットフィーチャ４９内にターンロックする。シャッタードア２８の回転ジョイントポケット４６（図５）は、ばね３２がシャッター付きジャックハウジング３０に対して組立てられた後にシャッター付きジャックハウジング３０のスロット付きボス４８及び中実ボス５１上でロックする。組立てを容易にするため、ばねレッグ４２の端上のループ４１は、ばね３２をシャッタードア２８上のポケット４０内に位置決めするのを助ける、シャッタードア２８上のボスフィーチャ３４によって捕捉される。シャッタードア２８上のくぼみ面４４は、シャッター付きジャックハウジング３０上のスロット付きボス４８及び中実ボス５１が、シャッタードア２８の回転ジョイントポケット４６に入るよう摺動することを可能にすることによって、組立てを容易にするのを助ける。
【００１０】
図４〜６及び８を参照すると、シャッタードア２８上のドアストップ５２は、シャッタードア２８が、シャッター付きジャックハウジング３０上の前縁５６の内部に接触することによって、シャッター付きジャックハウジング３０上の垂直平坦平面３１を通過して搖動することを防止する。設置されるとき、シャッタードア２８は、プラグ２２が接触すると、軸５４の周りに内方に９０°回転することになる。シャッタードア２８の回転ジョイントポケット４６がシャッター付きジャックハウジング３０のスロット付きボス４８及び中実ボス５１に組付けられるときに、逃がしスロット５８は、側壁６０のたわみを可能にする。
【００１１】
図７を参照すると、シャッタードア２８上のプラグラッチストップ６６は、プラグ２２上のラッチ６８に係合し、組立て中に、プラグ２２をＵＴＰ  ＲＪ４５シャッター付きジャック２０に留める。プラグ２２がＵＴＰ  ＲＪ４５シャッター付きジャック２０に完全に挿入されると、シャッタードア２８上の自由接触プラグストップ３５（図５）は、シャッター付きジャックハウジング３０の内部におけるプラグ２２の過剰移動を制限し、ＩＥＣ６０６０３−７要件を満たす。シャッタードア２８上の保持レッジ３７は、プラグ２２が挿入されると、シャッター付きジャックハウジング３０の保持ブロック５７を捕捉する。プラグ２２が、ＵＴＰ  ＲＪ４５シャッター付きジャック２０にラッチされている間に、取外し方向への力を受ける場合、シャッタードア２８上の保持レッジ３７は、シャッター付きジャックハウジング３０の保持ブロック５７に係合し、更なる保持力を発揮し、シャッター付きジャックハウジング３０のスロット付きボス４８及び中実ボス５１上に見込まれる力の一部を取除くことになる。かなりの量のこの引出し力を、スロット付きボス４８及び中実ボス５１から離れて保持ブロック５７に伝達することによって、ＵＴＰ  ＲＪ４５シャッター付きジャック２０は、引張荷重下でパッチコード２３を保持すると共に、ＩＥＣ６０６０３−７  ＡＰ２．２要件を満たすのにより有効である。
【００１２】
図８及び９を参照すると、シャッタードア２８がシャッター付きジャックハウジング３０内に設置されるとき、ばね３２の対角交差レッグ３３は、スロット付きボス４８の対角スロットフィーチャ４９に係合する。
【００１３】
図１０及び１１を参照すると、ＳＴＰ  ＲＪ４５シャッター付きジャック６１（休止状態で示す）は、ＳＴＰ  ＲＪ４５シャッター付きジャック６１が、シールド付きでシャッター付きのジャックハウジング６２、シールド付きシャッタードア６３、及びジャックシールド６５を含むことを除いて、ＵＴＰ  ＲＪ４５シャッター付きジャック２０（図２）と同様である。シールド付きでシャッター付きのジャックハウジング６２は、シールド付きでシャッター付きのジャックハウジング６２がジャックシールド６５を収容することを除いて、シャッター付きジャックハウジング３０（図４）と同様である。シールド付きシャッタードア６３は、シールド付きシャッタードア６３が、ジャックシールド６５上のプラグシールドタブ６７の隙間を可能にする側部カットアウト６４を含むことを除いて、シャッタードア２８（図５）と同様である。
【００１４】
本発明の特定の実施形態は、ＲＪ４５ジャックを提供し、ＲＪ４５ジャックは、自己閉鎖シャッタードアを有し、１回の直線動作でのＲＪ４５プラグ挿入を可能にしつつも、シャッタードア上の自由接触プラグストップ、及び、ジャック内にラッチされている間にプラグが引出し力を受けるとハウジング内でのドアの保持を補助するドアキャッチフィーチャが組み込まれている。
【００１５】
本発明の特定の実施形態は、ＣＡＴ５Ｅ、ＣＡＴ６、ＣＡＴ６Ａ、及び、他のジャックを含む他の用途のうちの任意のものにおいて適用され得る。
【００１６】
本発明の特定の実施形態は、前ハウジングを有するジャック副組立体、可撓性回路基板を持つかまたは持たない前スレッド組立体、補償を含む剛性回路基板、及び、剛性基板に接続され、後ハウジングを通してルーティングされる絶縁変位接点等の、既存のジャックの他の要素を含み得る。
【００１７】
本発明の特定の実施形態は、参照によりその全体が組込まれる米国特許第６，８６９，２９７号に開示されるジャックの他の要素を含み得る。
【００１８】
本発明の特定の実施形態は、参照によりその全体が組込まれる米国特許第７，２８１，９７５号に開示されるジャックの他の要素を含み得る。
【００１９】
本発明の特定の実施形態は、パッチパネル、面板、アダプタインサート、表面実装ボックス、及び、通常のＴＧジャックを使用可能な任意の他の用途において使用され得る。
【００２０】
本発明は幾つかの実施形態によって説明されたが、これらの実施形態は、（実施形態が、例示として示されても、示さされなくても）非限定的であり、また、本発明の技術的範囲内に入る代替形態、置換形態、及び等価形態が存在する。更に、説明された実施形態は、互いに排他的であるとして解釈されるべきでなく、代わりに、こうした組合せが許容される場合、潜在的に組合せ可能であるとして理解されるべきである。更に、説明された、または特許請求の範囲に記載された、あるいは特許請求の範囲に記載され得る任意の方法は、任意の特定のステップのシーケンスに限定されるべきでなく、代わりに、シーケンスが許容可能である場合、任意のシーケンスを包含すると理解されるべきである。本発明の方法及び装置を実装する多くの代替法が存在することが同様に留意されるべきである。したがって、添付の特許請求の範囲が、本発明の真の趣旨及び範囲内に入る全てのこうした代替形態、置換形態、及び等価形態を含むものとして解釈され得ることが意図される。
【符号の説明】
【００２１】
１８  通信システム
２０  ジャック
２２  プラグ
２３  パッチコード
２４  ジャック開口
２５  インサート
２６  パッチパネル
２８  シャッタードア
３０  ハウジング（ジャックハウジング）
３３  対角交差レッグ
３４  ボスフィーチャ
３５  自由接触プラグストップ
３７  保持レッジ
３８  ワイヤカップ
４０  ポケット
４１  ループ
４２  ばねレッグ
４４  くぼみ面
４６  回転ジョイントポケット（回転ジョイントフィーチャ）
４８  回転ジョイントフィーチャ（スロット付きボス）
４９  二次スロット（対角スロットフィーチャ）
５０  一次スロット（水平スロット）
５１  回転ジョイントフィーチャ（中実ボス）
５２  ドアストップ
５４  軸
５６  前縁
５７  保持ブロック
５８  逃がしスロット
６０  側壁
６２  ジャックハウジング
６３  シールド付きシャッタードア６３
６４  側部カットアウト
６５  ジャックシールド
６６  プラグラッチストップ
６７  プラグシールドタブ
６８  ラッチ
【図１】
2019502231.tif 000003
【図２】
2019502231.tif 000004
【図３】
2019502231.tif 000005
【図４】
2019502231.tif 000006
【図５】
2019502231.tif 000007
【図６】
2019502231.tif 000008
【図７】
2019502231.tif 000009
【図８】
2019502231.tif 000010
【図９】
2019502231.tif 000011
【図１０】
2019502231.tif 000012
【図１１】
2019502231.tif 000013
【国際調査報告】
2019502231.tif 000014
2019502231.tif 000015